(57)【特許請求の範囲】
【請求項１】
パネルに貫通して取り付けられる電気機器であって、
当該電気機器の前面側に設けられ、前記パネルの前面側で作業者の操作を受ける操作部及びこの操作を電気信号に変換する変換部、又は発光ダイオードを含む第１インタフェイスと、
当該電気機器の背面側に設けられ、外部から当該電気機器の背面に配線が接続される端子部を含む第２インタフェイスと、
前記第１インタフェイスと前記第２インタフェイスとの間で信号の受け渡しを行うための電子回路と、
前記電子回路を搭載し、一端側に前記第１インタフェイス及び他端側の一部に前記第２インタフェイスの端子部が設けられた基板と、
前記基板の他端側のうち、前記端子部が設けられていない残りの部分の主面上に形成され、前記基板の主面上に形成され、前記信号の受け渡しを行うために予め設定するデータの入力あるいは出力を行うためのパターンと、
前記データを出力あるいは入力するデータ設定用機器を、前記基板の主面と並行に外部から当該電気機器の背面に挿入されて前記パターンへ接触させるデータ設定用機器挿入部と、を備えた電気機器。
【請求項２】
前記第１及び第２インタフェイスは前記基板の前記主面と反対側の面から電気的に接続されている請求項１記載の電気機器。
【請求項３】
前記第１及び第２インタフェイスの少なくとも一つは前記基板の側方に配置されている請求項１記載の電気機器。
【請求項４】
前記データはアドレスを含み、前記電子回路は、前記第１インタフェイス及び第２インタフェイスのうち、一方からの信号と前記アドレスとに基づいて信号を生成して他方に出力する請求項１記載の電気機器。
【請求項５】
前記操作部は押しボタンを含み、前記変換部は当該押しボタンが押されたことを前記電気信号として変換する請求項１から４までのいずれかに記載の電気機器。
【請求項６】
請求項１から５までのいずれかに記載の電気機器が貫通して取り付けられた制御機器。
【発明の詳細な説明】
【０００１】
【発明が属する技術分野】
本発明は、小型の電気機器及びこれに用いられるデータ設定用機器並びに当該電気機器を有する制御機器に関する。
【０００２】
【従来の技術】
図１１は従来のシステム全体を示す模式図であり、パネルｂを背面側から眺めた状態を示している。このシステムでは、押しボタンスイッチｖがパネルｂを貫通して縦一列に取り付けられている。パネルｂの前面側では押しボタンスイッチｖの押しボタン（図示せず）が突設されている。パネルｂの背面側では、押しボタンスイッチｖは制御装置ｗの入力部ｗ１に１対１で配線ｅを介して接続されている。これにより、制御装置ｗは、入力部ｗ１の各々を監視することで、どの押しボタンスイッチｖの押しボタンが押されたかを知ることができる。
【０００３】
しかし、押しボタンスイッチｖが多ければ、制御装置ｗの入力部ｗ１が数多く必要になる。
【０００４】
そこで、押しボタンが押されたことを通信信号に変換して配線ｅへ出力する基板を押しボタンスイッチ内に設け、例えば、図１２のように１本の主線ｄに配線ｅ及び制御装置ｃを接続するシステムが考え出されている。これにより、制御装置ｃは、受信した通信信号から予め押しボタンスイッチｔ内に設定されている固有のアドレスを抽出し、このアドレスから図１２の複数の押しボタンスイッチｔのうち、どの押しボタンスイッチｔの押しボタンが押されたかを知ることができる。よって、図１１のシステム同様の機能を有しつつ、制御装置ｃの入力部ｃ１が１つで済む。
【０００５】
【発明が解決しようとする課題】
しかしながら、押しボタンスイッチｔ内に基板を搭載すると、基板の他にアドレスなどを設定するための部品も追加しなければならず、押しボタンスイッチｔが大型化してしまうという問題点がある。
【０００６】
本発明は上記の問題点を解決するためになされたものであり、従来と同程度に小型の電気機器及びデータ設定用機器並びに制御機器を得ることを目的とる。
【０００７】
【課題を解決するための手段】
請求項１に記載の課題解決手段は、パネルに貫通して取り付けられる電気機器であって、当該電気機器の前面側に設けられ、前記パネルの前面側で作業者の操作を受ける操作部及びこの操作を電気信号に変換する変換部、又は発光ダイオードを含む第１インタフェイスと、当該電気機器の背面側に設けられ、外部から当該電気機器の背面に配線が接続される端子部を含む第２インタフェイスと、前記第１インタフェイスと前記第２インタフェイスとの間で信号の受け渡しを行うための電子回路と、前記電子回路を搭載し、一端側に前記第１インタフェイス及び他端側の一部に前記第２インタフェイスの端子部が設けられた基板と、前記基板の他端側のうち、前記端子部が設けられていない残りの部分の主面上に形成され、前記基板の主面上に形成され、前記信号の受け渡しを行うために予め設定するデータの入力あるいは出力を行うためのパターンと、前記データを出力あるいは入力するデータ設定用機器を、前記基板の主面と並行に外部から当該電気機器の背面に挿入されて前記パターンへ接触させるデータ設定用機器挿入部とを備える。
【０００８】
請求項２に記載の課題解決手段において、前記第１及び第２インタフェイスは前記基板の前記主面と反対側の面から電気的に接続されている。
【０００９】
請求項３に記載の課題解決手段において、前記第１及び第２インタフェイスの少なくとも一つは前記基板の側方に配置されている。
【００１０】
請求項４に記載の課題解決手段において、前記データはアドレスを含み、前記電子回路は、前記第１インタフェイス及び第２インタフェイスのうち、一方からの信号と前記アドレスとに基づいて信号を生成して他方に出力する。
【００１１】
請求項５に記載の課題解決手段において、前記操作部は押しボタンを含み、前記変換部は当該押しボタンが押されたことを前記電気信号として変換する。
【００１３】
請求項６に記載の課題解決手段において、制御機器は電気機器が貫通して取り付けられている。
【００１４】
【発明の実施の形態】
（実施の形態１）
図１は本発明が適用されるシステム全体を示す模式図であり、パネルｂを背面側から眺めた状態を示している。図２はパネルｂを前面側から眺めた状態を示している。このシステムでは、電気機器ａの各々は配線ｅ及び主線ｄを介して制御装置ｃの１つの入力部ｃ１に接続されている。パネルｂと、互いに隣接してパネルｂに配置された電気機器ａとは制御機器（制御盤）を構成する。あるいは、この制御盤と制御装置ｃとからなる構成を制御機器と称する。
【００１５】
図１及び図２に示すように、電気機器ａはパネルｂを貫通して例えば縦一列に取り付けられている。パネルｂの前面側には電気機器ａのうち操作者が操作するための押しボタンなどで構成された操作部ａ１が突設される。
【００１６】
図３は実施の形態１の電気機器ａを示す斜視図、図４はその断面を模式的に示す図である。図３及び図４においてＸ１が前面側、Ｘ２が背面側である。
【００１７】
まず、実施の形態１の電気機器ａの構成について説明する。実施の形態１の電気機器ａは、操作部ａ１及び信号生成部ａ２から成っている。操作部ａ１は、パネルｂの前面側から背面側にかけて貫通して取り付けられている。操作部ａ１はパネルｂの前面側にある押しボタンａ１１が操作者の指で押されると、これに応じてアクチュエータａ１２が信号生成部ａ２内の背面側へ後退する。また、指が離れると操作部ａ１内に設けられた付勢手段（図示せず）によって押しボタンａ１１が前進し、元の状態に戻る。
【００１８】
信号生成部ａ２は、パネルｂの背面側において操作部ａ１に装着されている。信号生成部ａ２において、信号生成部ａ２の前面側上方には変換部ａ２２が設けられている。変換部ａ２２は、アクチュエータａ１２を受け、基板（プリント配線基板）ａ２１上に設置され、アクチュエータａ２２１及び検出手段ａ２２２を含む。アクチュエータａ２２１はアクチュエータａ１２に当接し、アクチュエータａ１２が後退すると、アクチュエータａ２２１も背面側Ｘ２へ後退して検出手段ａ２２２から離れ、アクチュエータａ１２が前進すると、アクチュエータａ２２１も前面側Ｘ１へ前進して検出手段ａ２２２に位置する。検出手段ａ２２２は例えばフォトカップラなどを用いて実現でき、アクチュエータａ２２１が検出手段ａ２２２に位置するか否かに応じてオンあるいはオフし、これを検出信号として基板ａ２１に出力する。以上のように、変換部ａ２２はアクチュエータａ１２を受け、アクチュエータａ１２の位置を検出して電気信号（検出信号）に変換し、基板ａ２１へ出力する。
【００１９】
信号生成部ａ２の背面側上方には、外部から配線ｅを挿入するための端子部ａ２３が設けられている。端子部ａ２３の一例を図５に示す。端子部ａ２３は、基台ａ２３３と２つのスプリング端子ａ２３１とで構成される。基台ａ２３３には、両側にスプリング端子ａ２３１をはめ込む端子収納スペースａ２３４と、これと外部とを連通させる差し込み孔ａ２３５とが設けられている。スプリング端子ａ２３１が基台ａ２３３の端子収納スペースａ２３４にはめ込まれた状態で、スプリング端子ａ２３１は外部から差し込み孔ａ２３５に差し込まれた配線ｅを挟んで保持できるようになっている。なお、端子部ａ２３は、図示するものの他に、コネクタやネジを用いて配線を固定する端子、ハンダを用いて配線を固定する端子などで構成されていてもよい。
【００２０】
図４の変換部ａ２２及び端子部ａ２３の下方には、基板ａ２１が配置されている。基板ａ２１の上面には、変換部ａ２２の検出手段ａ２２２が搭載され、スプリング端子ａ２３１からの接続部ａ２３２が接続されている。また、基板ａ２１の上面や下面には、検出手段ａ２２２と接続部ａ２３２との間で信号の受け渡しを行う電子回路ａ２５が搭載されている。電子回路ａ２５はＩＣや抵抗器などの小型の素子で構成されている。
【００２１】
また、基板ａ２１の下面には、電子回路ａ２５内の記憶手段（図示せず）にアドレス（データ）を設定するための導電パターンａ２６がパターニングされている。導電パターンａ２６は例えば、銅、アルミなどの導電性を有する薄いパターンである。
【００２２】
基板ａ２１の信号生成部ａ２の背面側下方には、外部からのアドレス設定用のアダプタを挿入するためのデータ設定用機器挿入部ａ２４が設けられている。データ設定用機器挿入部ａ２４の一例を図６に示す。図６では、データ設定用機器挿入部ａ２４は信号生成部ａ２の筐体の一部で構成され、基板ａ２１と信号生成部ａ２の筐体との間に、後述のアダプタｆのプラグ部ｆ２を収容する収納スペースａ２４１が設けられている。収納スペースａ２４１には、導電パターンａ２６が露呈している。
【００２３】
アダプタｆの一例を図７に示す。アダプタｆはアドレスを生成して出力するアドレス設定器ｇのプラグｇ１を差し込むプラグジャックｆ１と、収納スペースａ２４１に差し込まれるプラグ部ｆ２と、プラグ部ｆ２の各々に設けられた例えば板ばねで構成された端子ｆ３とを有する。端子ｆ３は、プラグ部ｆ２が収納スペースａ２４１に収容された状態で導電パターンａ２６に接触し、導電パターンａ２６にアドレスを出力する。なお、アダプタｆ単独、あるいはアダプタｆ及びアドレス設定器ｇからなるものがデータ設定用機器を構成する。
【００２４】
以上のように、操作部ａ１及び変換部ａ２２からなる部分（第１インタフェイス）は、電気機器ａの一端側に設けられ、パネルｂの前面側から背面側にかけて位置している。端子部ａ２３（第２インタフェイス）は電気機器ａの他端側に設けられ、パネルｂの背面側から位置している。基板ａ２１を搭載した電子回路ａ２５は第１インタフェイスと第２インタフェイスとの間で信号の受け渡しを行う。データ設定用機器挿入部ａ２４は基板ａ２１の主面と並行に外部から挿入されたアダプタｆを導電パターンａ２６へ接触させる。また、第１及び第２インタフェイスは基板ａ２１の導電パターンａ２６が形成された主面の反対側の面（上面）から電気的に接続されている。
【００２５】
次に、動作について説明する。まず、制御盤（図１参照）の各々の電気機器ａにおいて、アダプタｆをデータ設定用機器挿入部ａ２４に差し込んで、各々の電気機器ａに固有のアドレス（データ）を電子回路ａ２５に予め設定しておく。
【００２６】
次に、操作者の指で押しボタンａ１１が押されると、アクチュエータａ１２は信号生成部ａ２内の背面側へ後退する。変換部ａ２２はアクチュエータａ１２の位置を検出し、押しボタンａ１１が押されたことを示す検出信号を出力する。基板ａ２１の電子回路ａ２５は検出信号を受けると、予め設定されたアドレスを示す通信信号を生成し、端子部ａ２３に出力する。このように、基板ａ２１の電子回路ａ２５は第１インタフェイス（操作部ａ１及び変換部ａ２２）からの信号とアドレスとに基づいて通信信号を生成して第２インタフェイス（端子部ａ２３）に出力する。
【００２７】
上記の通信信号は、データ設定用機器挿入部ａ２４から配線ｅ及び主線ｄを介して制御装置ｃに伝わる。制御装置ｃは、受信した通信信号からアドレスを抽出し、このアドレスから図１の複数の電気機器ａのうち、どの押しボタンａ１１が押されたかを知ることができる。
【００２８】
以上のように、押しボタンａ１１が押されたことを通信信号に変換するための基板ａ２１を搭載したことで、図１１のシステム同様の機能を有しつつ、制御装置ｃの入力部ｃ１が１つで済む。
【００２９】
また、図１１のシステムと同程度に電気機器ａを接近して実装するには、電気機器ａはできるだけ従来の押しボタンスイッチｖと同程度の大きさであることが望ましい。しかしながら、押しボタンスイッチｖに単に基板ａ２１を搭載するだけでは、基板ａ２１などを追加した分、電気機器ａが大型化する。そこで、データ設定用機器挿入部ａ２４においてアダプタｆに導通する部材として、基板ａ２１の厚さと比較して極めて薄い導電パターンａ２６を適用したことにより、アドレス設定器ｇのプラグｇ１を電気機器ａに直接挿入するように構成した場合と比べて、データ設定用機器挿入部ａ２４の大きさを抑え、従来の押しボタンスイッチｖと同程度に小型の電気機器ａを得ることができ、従来と同様に電気機器ａを密集して実装することができる。
【００３０】
また、導電パターンａ２６を用いたことで、例えばプラグｇ１を差し込むプラグジャックｆ１などの部品が必要ないので、小型化及びコストダウンが図れる。
【００３１】
また、図１の全ての電気機器ａにおいて、同一のアダプタｆが使用できる。
【００３２】
また、データ設定用機器挿入部ａ２４より厚いアクチュエータａ１２及び端子部ａ２３を基板ａ２１の下面側ではなく上面側に設けたことにより、基板ａ２１の下面と信号生成部ａ２の筐体との間（基板ａ２１の主面側）を薄型化することができる。
【００３３】
また、基板ａ２１の配置を工夫した。すなわち、上述のように望ましくは、外部から信号生成部ａ２内に進入する全ての配線ｅ及びアダプタｆの差し込み方向及び電気機器ａ内のアクチュエータａ１２の移動方向を同一方向にし、この方向と基板ａ２１の主面の方向とが同じになるように、基板ａ２１を信号生成部ａ２内に配置する。これによって、電気機器ａが大型化することを防ぎ、従来と同程度に電気機器ａを密集実装することが可能になる。
【００３４】
また、操作者がパネルｂに対面して立ち、電気機器ａの背面に向かって配線ｅやアダプタｆを差し込むことになるので、端子部ａ２３及びデータ設定用機器挿入部ａ２４は電気機器ａの側面よりも、電気機器ａの背面に設けられていることが差し込み易い点で望ましい。
【００３５】
また、基板ａ２１の下面側には、アドレスのような固定値を設定するデータ設定用機器挿入部ａ２４（固定値設定部）を設け、基板ａ２１の上面側には、アクチュエータａ１２の検出信号及びこれに応じた通信信号のような変動値の受け渡しを行う変換部ａ２２及び端子部ａ２３（非固定値設定部）を設けた。このように、固定値処理部と非固定値設定部とをそれぞれ基板ａ２１の下面側と上面側とに分離して設けたことにより、電子回路ａ２５を構成する電子素子や配線の配置が簡素化され、基板ａ２１の小型化が可能となる。
【００３６】
また、データ設定用機器挿入部ａ２４と端子部ａ２３とを互いに分離して設けたことにより、端子部ａ２３に配線を差し込んだ後でも、データ設定用機器挿入部ａ２４にアダプタｆを差し込んでアドレスを設定できる。
【００３７】
また、収納スペースａ２４１に蓋をするカバー（図示せず）を設けてもよい。これによって、このカバーにアドレスの番号を記入すれば、操作者に分かりやすい。
【００３８】
（実施の形態２）
次に、実施の形態２を説明する。実施の形態２は実施の形態１と主として同様であるが、電気機器ａが異なる。図８は実施の形態２の電気機器ａを示す斜視図、図９はその主要部の断面を模式的に示す図である。図８及び図９においてＸ１が前面側、Ｘ２が背面側である。図９では信号生成部ａ４の断面及び操作部３内のアクチュエータａ３２の先端部について模式的に図示し、その他については詳しい構成を省略している。
【００３９】
次に、実施の形態２の電気機器ａの構成について説明する。実施の形態２の電気機器ａは、操作部ａ３及び信号生成部ａ４から成っている。実施の形態１同様、操作部ａ３はパネルｂの前面側から背面側にかけて貫通して取り付けられている。操作部ａ３はパネルｂの前面側にある押しボタンａ３１が操作者の指で押されると、これに応じてアクチュエータａ３２が信号生成部ａ４内の背面側へ向かって後退する。また、指が離れると操作部ａ３内に設けられた付勢手段（図示せず）によって押しボタンａ３１は前進し、元の状態に戻る。
【００４０】
信号生成部ａ４はパネルｂの背面側において操作部ａ３に装着されている。信号生成部ａ４において、信号生成部ａ４の前面側下方には変換部ａ４２が設けられている。変換部ａ４２は、アクチュエータａ３２を受け、基板（プリント配線基板）ａ４１下に設置され、アクチュエータａ４２１及び検出手段ａ４２２を含む。アクチュエータａ４２１はアクチュエータａ３２に当接し、アクチュエータａ３２が後退すると、アクチュエータａ４２１も背面側Ｘ２へ後退して検出手段ａ４２２から離れ、アクチュエータａ３２が前進すると、アクチュエータａ４２１も前面側Ｘ１へ前進して検出手段ａ４２２に位置する。検出手段ａ４２２は、例えばフォトカップラなどを用いて実現でき、アクチュエータａ４２１が検出手段ａ４２２に位置するか否かに応じてオンあるいはオフし、これを検出信号として基板ａ４１に出力する。以上のように、変換部ａ４２はアクチュエータａ３２を受け、アクチュエータａ３２の位置を検出して電気信号（検出信号）に変換し、基板ａ４１へ出力する。
【００４１】
基板ａ４１を下方から眺めた状態を図１０に示す。信号生成部ａ４の背面側には、外部から配線ｅを挿入するための端子部ａ４３が設けられている。端子部ａ４３には、スプリング端子ａ２３１（図５参照）と主として同様な形状のスプリング端子ａ４３１（図では概略的に示す）が収納され、これと外部とを連通させる差し込み孔ａ４３５が設けられている。スプリング端子ａ４３１は外部から差し込み孔ａ４３５に挿入された配線ｅを挟んで保持できるようになっている。なお、端子部ａ４３は、図示するものの他に、コネクタやネジを用いて配線を固定する端子、ハンダを用いて配線を固定する端子などで構成されていてもよい。
【００４２】
図９の変換部ａ４２の上方かつ端子部ａ４３の側方には、基板ａ４１が配置されている。基板ａ４１の下面には、変換部ａ４２の検出手段ａ４２２が搭載されている。また、基板ａ４１には、端子部ａ４３内の端子からの接続部ａ４３２が接続されている。また、基板ａ４１の上面や下面には、検出手段ａ４２２と接続部ａ４３２との間で信号の受け渡しを行う電子回路ａ４５が搭載されている。電子回路ａ４５はＩＣや抵抗器などの小型の素子で構成されている。
【００４３】
また、基板ａ４１の下面には、電子回路ａ４５内の記憶手段（図示せず）にアドレス（データ）を設定するための導電パターンａ４６がパターニングされている。導電パターンａ４６は例えば、銅、アルミなどの導電性を有する薄いパターンである。
【００４４】
基板ａ４１の信号生成部ａ４の背面側下方には、外部からのアダプタｆ（図７参照）を挿入するためのデータ設定用機器挿入部ａ４４が設けられている。データ設定用機器挿入部ａ４４は、信号生成部ａ４の筐体の一部で構成され、基板ａ４１と信号生成部ａ４の筐体との間に、アダプタｆのプラグ部ｆ２を収容する収納スペースａ４４１が設けられている。収納スペースａ４４１内には、導電パターンａ４６が露呈している。
【００４５】
以上のように、操作部ａ３及び変換部ａ４２からなる部分（第１インタフェイス）は電気機器ａの一端側に設けられ、パネルｂの前面側から背面側にかけて位置している。端子部ａ４３（第２インタフェイス）は電気機器ａの他端側に設けられ、パネルｂの背面側から位置している。基板ａ４１に搭載された電子回路ａ４５は第１インタフェイスと第２インタフェイスとの間で信号の受け渡しを行う。データ設定用機器挿入部ａ４４は基板ａ４１の主面と並行に外部から挿入されたアダプタｆを導電パターンａ４６へ接触させる。
【００４６】
次に、動作について説明する。まず、制御盤（図１参照）の各々の電気機器ａにおいて、アダプタｆをデータ設定用機器挿入部ａ４４に差し込んで、各々の電気機器ａに固有のアドレスを電子回路ａ４５に予め設定しておく。
【００４７】
次に、操作者の指で押しボタンａ３１が押されると、アクチュエータａ３２は信号生成部ａ４内の背面側に後退する。変換部ａ４２はアクチュエータａ３２の位置を検出し、押しボタンａ３１が押されたことを示す検出信号を出力する。基板ａ４１の電子回路ａ４５は検出信号を受けると、予め設定されたアドレスを示す通信信号を生成し、端子部ａ４３に出力する。このように、基板ａ４１の電子回路ａ４５は第１インタフェイス（操作部ａ３及び変換部ａ４２）からの信号とアドレスとに基づいて通信信号を生成して第２インタフェイス（端子部ａ４３）に出力する。
【００４８】
以上の通信信号は、データ設定用機器挿入部ａ４４から配線ｅ及び主線ｄを介して制御装置ｃに伝わる。制御装置ｃは、受信した通信信号からアドレスを抽出し、このアドレスから図１の複数の電気機器ａのうち、どの押しボタンａ３１が押されたかを知ることができる。
【００４９】
以上のように、押しボタンａ３１が押されたことを通信信号に変換するための基板ａ４１を搭載したことで、図１１のシステム同様の機能を有しつつ、制御装置ｃの入力部ｃ１が１つで済む。
【００５０】
また、図１１のシステムと同程度に電気機器ａを接近して実装するには、電気機器ａはできるだけ従来の押しボタンスイッチｖと同程度の大きさであることが望ましい。しかしながら、押しボタンスイッチｖに単に基板ａ４１を搭載するだけでは、基板ａ４１などを追加した分、電気機器ａが大型化する。そこで、データ設定用機器挿入部ａ４４においてアダプタｆに導通する部材として、基板ａ４１の厚さと比較して極めて薄い導電パターンａ４６を適用したことにより、データ設定用機器挿入部ａ４４の大きさを抑え、従来の押しボタンスイッチｖと同程度に小型の電気機器ａを得ることができ、従来と同様に電気機器ａを密集して実装することができる。
【００５１】
また、導電パターンａ４６を用いたことで、例えばプラグｇ１を差し込むプラグジャックｆ１などの部品が必要ないので、コストダウンが図れる。
【００５２】
また、図１の全ての電気機器ａにおいて、同一のアダプタｆが使用できる。
【００５３】
また、基板ａ４１の配置を工夫した。すなわち、上述のように望ましくは、外部から信号生成部ａ４内に進入する全ての配線ｅ及びアダプタｆの差し込み方向及び電気機器ａ内のアクチュエータａ３２の移動方向を同一方向にし、この方向と基板ａ４１の主面の方向とが同じになるように、基板ａ４１を信号生成部ａ４内に配置する。これによって、電気機器ａの薄型化を図り、従来と同程度に電気機器ａを密集実装することが可能になる。
【００５４】
また、基板ａ４１と比較して厚い端子部ａ４３を、基板ａ４１の上方や下方ではなく、基板ａ４１の側方に配置したことで、基板ａ４１と端子部ａ４３とを合わせた厚さを、基板ａ４１の厚さと端子部ａ４３の厚さとを足し合わせた厚さと比べて、薄くでき、信号生成部ａ４を薄型化できる。望ましくは、基板ａ４１及び変換部ａ４２（第１インタフェイス）と端子部ａ４３（第２インタフェイス）のうち、少なくとも厚さの厚い方を基板ａ４１の側方に配置する。
【００５５】
また、操作者がパネルｂに対面して立ち、電気機器ａの背面に向かって配線ｅやアダプタｆを差し込むことになるので、端子部ａ４３及びデータ設定用機器挿入部ａ４４は電気機器ａの側面よりも、電気機器ａの背面に設けられていることが差し込み易い点で望ましい。
【００５６】
また、データ設定用機器挿入部ａ４４と端子部ａ４３とを互いに分離して設けたことにより、端子部ａ４３に配線を差し込んだ後でも、データ設定用機器挿入部ａ４４にアダプタｆを差し込んでアドレスを設定できる。
【００５７】
また、収納スペースａ４４１に蓋をするカバー（図示せず）を設けてもよい。これによって、このカバーにアドレスの番号を記入すれば、操作者に分かりやすい。
【００５８】
（変形例）
なお、本発明は図示するものに限らない。例えば、第１インタフェイス及び第２インタフェイスは、入力あるいは出力を行うものであればよく、操作部ａ１，ａ３、端子部ａ２３，ａ４３の他に、例えば、発光ダイオードでもよいし、無線で通信できるものであってもよい。また、信号の受け渡しのために予め設定するデータはアドレスの他であってもよい。
【００５９】
また、実施の形態１及び２では、信号の流れがパネルｂの前面側（第１インタフェイス）からパネルｂの背面側（第２インタフェース）へ受け渡しされる場合を説明したが、逆に、信号の流れがパネルｂの背面側からパネルｂの前面側へ受け渡しされる場合であってもよい。
【００６０】
また、実施の形態１及び２では、アダプタｆ（データ設定用機器）が出力するデータを、導電パターンａ２６，ａ４６に入力する場合を説明したが、逆に、電子回路ａ２５，４５内に設定されているデータを導電パターンａ２６，ａ４６から出力し、アダプタｆに入力する構成であってもよい。
【００６１】
【発明の効果】
請求項１に記載の発明によれば、情報の受け渡しを行うために予め設定するデータを入力する部分を、導電パターンを用いて構成したことにより、データ設定用機器挿入部の大きさを抑え、従来と同程度に小型の電気機器を得ることができる。
【００６２】
請求項２に記載の発明によれば、基板の主面側を薄型化できる。
【００６３】
請求項３に記載の発明によれば、電気機器を薄型化できる。
【００６４】
請求項４に記載の発明によれば、信号から、複数の電気機器のうち、当該信号がどの電気機器から出力されたものであるかを知ることができる。
【００６５】
請求項５に記載の発明によれば、従来の押しボタンスイッチと同程度に小型の電気機器を得ることができる。
【００６７】
請求項６に記載の発明によれば、電気機器が従来と同程度に小型の制御機器を得ることができる。
【図面の簡単な説明】
【図１】  本発明の実施の形態の全体システムを示す模式図である。
【図２】  本発明の実施の形態１の電気機器を示す前面図である。
【図３】  本発明の実施の形態１の電気機器を示す斜視図である。
【図４】  本発明の実施の形態１の電気機器を模式的に示す断面図である。
【図５】  本発明の実施の形態１の端子部を示す分解斜視図である。
【図６】  本発明の実施の形態１のデータ設定用機器挿入部を示す斜視図である。
【図７】  本発明の実施の形態１のデータ設定用機器を示す斜視図である。
【図８】  本発明の実施の形態２の電気機器を示す斜視図である。
【図９】  本発明の実施の形態２の電気機器を模式的に示す部分断面図である。
【図１０】  本発明の実施の形態２の基板を示す下面図である。
【図１１】  従来の全体システムを示す模式図である。
【図１２】  従来の他の全体システムを示す模式図である。
【符号の説明】
ａ１，ａ３  操作部、ａ２３，ａ４３  端子部、ａ２４，ａ４４  データ設定用機器挿入部、ａ２６，ａ４６  パターン。
【図１】
0004021180.tif 000002
【図２】
0004021180.tif 000003
【図３】
0004021180.tif 000004
【図４】
0004021180.tif 000005
【図５】
0004021180.tif 000006
【図６】
0004021180.tif 000007
【図７】
0004021180.tif 000008
【図８】
0004021180.tif 000009
【図９】
0004021180.tif 000010
【図１０】
0004021180.tif 000011
【図１１】
0004021180.tif 000012
【図１２】
0004021180.tif 000013